(57)【要約】【課題】蓋を開閉する際に音が出る機能を有するトップオープン式の紙箱を提供すること。【解決手段】第１側面板12の略中央に指掛け孔17が穿設され、その両端から天面板11に向けて取り出し蓋18を区画する切れ目線b,b が設けられ、その末端同士は谷折り線ｃにより連結され、第３側面板16の中面板寄りで指掛け孔から隠れる位置に第２切れ目線d が設けられ、その両端から中面板15の境界に向けて切れ目線b,b と略重なる第３切れ目線e,e が設けられ、この末端から中面板の第２側面板14近傍に向けて切れ目線b,b と略重なる山折り線f,f が設けられ、その末端同士は谷折り線c に略重なる第２谷折り線g により連結され、山折り線f,f の外方に折り曲げ片19,19 を区画する切断線h,h が設けられている。【選択図】図１
2006213364.tif 000002
【特許請求の範囲】
【請求項１】
天面板、第１側面板、底面板、第２側面板、中面板、第３側面板が折り曲げ線を介して順次連設され、天面板の両端縁には妻板が連設され、第１側面板の両端縁には舌片が連設され、底面板の両端縁には妻板が連設され、第２側面板の両端縁には舌片が連設され、た構造からなるブランクシートの、
中面板の中央部分外面は天面板の中央部分内面に貼着され、第３側面板の中面板寄りの外面は第１側面板の天面板寄りの内面に貼着され、両端が妻板と舌片とにより閉鎖された紙箱において、
第１側面板の略中央に指掛け孔が穿設され、該指掛け孔の両端から天面板に向けて、第１側面板と天面板に跨がる取り出し蓋を区画する切れ目線が設けられ、該切れ目線の末端同士は折り曲げ線と平行な谷折り線により連結され、
第３側面板の中央より中面板寄りで第１側面板に穿設された指掛け孔から隠れる位置には折り曲げ線と平行な第２切れ目線が設けられ、該第２切れ目線の両端から中面板との境界に向けて、第１側面板に設けられた切れ目線と略重なる第３切れ目線が設けられ、この両第３切れ目線の末端から中面板の第２側面板近傍に向けて、天面板に設けられた切れ目線と略重なる山折り線が設けられ、山折り線の末端同士は折り曲げ線と平行で天面板に設けられた谷折り線に略重なる第２谷折り線により連結され、
この二本の山折り線の外方に折り曲げ片を区画する切断線が設けられていることを特徴とする、トップオープン式紙箱。
【請求項２】
前記天面板に取り出し蓋を区画形成する切れ目線は、指掛け孔の両端から末広がり状に形成されていることを特徴とする、請求項１記載のトップオープン式紙箱。
【発明の詳細な説明】
【技術分野】
【０００１】
本発明は、再封性を有するトップオープン式の紙箱に関するものであり、特には、蓋を閉じたり開けたりする際に音が出る機能を有する再封性を有するトップオープン式紙箱に関する。
【背景技術】
【０００２】
従来、スナック菓子等を収容する容器の一つとしてトップオープン式の紙箱が広く使用されている（例えば、特許文献１、特許文献２参照）。
【０００３】
上記先行技術文献を示す。  
【特許文献１】実公昭５４−２２４８９号公報。
【特許文献２】実開昭５３−１５４１１４号公報。
【０００４】
しかし、蓋を開閉する際に音が出ることはなかった。
【発明の開示】
【発明が解決しようとする課題】
【０００５】
本発明は、蓋を開閉する際に音が出る機能を有するトップオープン式の紙箱を提供することを課題とする。
【課題を解決するための手段】
【０００６】
本発明の請求項１の発明は、天面板、第１側面板、底面板、第２側面板、中面板、第３側面板が折り曲げ線を介して順次連設され、天面板の両端縁には妻板が連設され、第１側面板の両端縁には舌片が連設され、底面板の両端縁には妻板が連設され、第２側面板の両端縁には舌片が連設された構造からなるブランクシートの、中面板の中央部分外面は天面板の中央部分内面に貼着され、第３側面板の中面板寄りの外面は第１側面板の天面板寄りの内面に貼着され、両端が妻板と舌片とにより閉鎖された紙箱において、第１側面板の略中央に指掛け孔が穿設され、該指掛け孔の両端から天面板に向けて、第１側面板と天面板に跨がる取り出し蓋を区画する切れ目線が設けられ、該切れ目線の末端同士は折り曲げ線と平行な谷折り線により連結され、第３側面板の中央より中面板寄りで第１側面板に穿設された指掛け孔から隠れる位置には折り曲げ線と平行な第２切れ目線が設けられ、該第２切れ目線の両端から中面板との境界に向けて、第１側面板に設けられた切れ目線と略重なる第３切れ目線が設けられ、この両第３切れ目線の末端から中面板の第２側面板近傍に向けて、天面板に設けられた切れ目線と略重なる山折り線が設けられ、該山折り線の末端同士は折り曲げ線と平行で天面板に設けられた谷折り線に略重なる第２谷折り線により連結され、この二本の山折り線の外方に折り曲げ片を区画する切断線が設けられていることを特徴とする、トップオープン式紙箱である。
【０００７】
このように請求項１記載の発明によれば、第１側面板の略中央に指掛け孔が穿設され、該指掛け孔の両端から天面板に向けて、第１側面板と天面板に跨がる取り出し蓋を区画する切れ目線が設けられ、該切れ目線の末端同士は折り曲げ線と平行な谷折り線により連結され、第３側面板の中央より中面板寄りで第１側面板に穿設された指掛け孔から隠れる位置には折り曲げ線と平行な第２切れ目線が設けられ、該第２切れ目線の両端から中面板との境界に向けて、第１側面板に設けられた切れ目線と略重なる第３切れ目線が設けられ、この両第３切れ目線の末端から中面板の第２側面板近傍に向けて、天面板に設けられた切
れ目線と略重なる山折り線が設けられ、山折り線の末端同士は折り曲げ線と平行で天面板に設けられた谷折り線に略重なる第２谷折り線により連結され、この二本の山折り線の外方に折り曲げ片を区画する切断線が設けられているので、指掛け孔に指を掛け切れ目線に沿って取り出し蓋の先端部分を切れ目線に沿って引き裂くと第１側面板の内面に貼着された第３側面板の中面板寄り部分も第２切れ目線と第３切れ目線に沿って引き裂かれ、紙箱内部が露出する。
【０００８】
引き続き天面板に区画された取り出し蓋を切れ目線に沿って持ち上げるように引き裂くと、天面板の内面と貼着されている中面板の中央部分も同時に持ち上がり、谷折り線及び第２谷折り線を支点軸として取り出し蓋が開封される。その際、取り出し蓋の内側両端縁に形成された折り曲げ片の先端縁が天面板の端縁部分と触れ合うことによりガッガッと音が出る。取り出し蓋を閉じる際にも同様に音が出る。取り出し蓋の先端を第３側面板の内側に差し込むことにより再封止できる。
【０００９】
また、取り出し蓋をいっぱいに開いた際には、取り出し蓋の両端の内側に中面板から区画形成された折り曲げ片が天面板に引っ掛かり、取り出し蓋は手で保持しなくても開いた状態で停止する。
【００１０】
また、請求項２の発明は、請求項１の発明において、前記第１側面板から天面板に跨がって取り出し蓋を区画する切れ目線は、指掛け孔の両端から末広がり状に形成されていることを特徴とする、トップオープン式紙箱である。
【００１１】
このように請求項２記載の発明によれば、第１側面板から天面板に跨がって取り出し蓋を区画する切れ目線は、指掛け孔の両端から末広がり状に形成されているので、天面板の内面に貼着されている中面板の両端に形成された折り曲げ片が拡がろうとする力と天面板の切れ目線によって形成された紙端面が擦れ合うのでほどよく音が出る。
【発明の効果】
【００１２】
このように本発明のトップオープン式紙箱は、蓋を開閉する際に音が出るという効果がある。音が出ることにより商品コンセプトを演出訴求でき、他のトップオープン式紙箱との差別化が可能になる。
【発明を実施するための最良の形態】
【００１３】
本発明を一実施形態に基づいて以下に詳細に説明する。
本発明のトップオープン式紙箱は、例えば、図１〜図３に示すように、天面板（１１）、第１側面板（１２）、底面板（１３）、第２側面板（１４）、中面板（１５）、第３側面板（１６）が折り曲げ線（ａ）を介して順次連設され、天面板（１１）の両端縁には妻板（１１１、１１２）が連設され、第１側面板（１２）の両端縁には舌片（１２１、１２２）が連設され、底面板（１３）の両端縁には妻板（１３１、１３２）が連設され、第２側面板（１４）の両端縁には舌片（１４１、１４２）が連設された構造からなるブランクシート（１０）の、中面板（１５）の中央部分外面は天面板（１１）の中央部分内面に貼着され、第３側面板（１６）の中面板（１５）寄りの外面は第１側面板（１２）の天面板（１１）寄りの内面に貼着され、両端が妻板と舌片とにより閉鎖された紙箱に関してである。
【００１４】
そして、第１側面板（１２）の略中央には指掛け孔（１７）が穿設されており、この指掛け孔（１７）の両端から天面板（１１）に向けて、第１側面板（１２）と天面板（１１）に跨がる取り出し蓋（１８）を区画する切れ目線（ｂ、ｂ）が設けられている。
この切れ目線（ｂ、ｂ）の末端同士は折り曲げ線（ａ）と平行な谷折り線（ｃ）により連結されている。
【００１５】
第３側面板（１６）の中央より中面板（１５）寄りで第１側面板（１２）に穿設された指掛け孔（１７）から隠れる位置には折り曲げ線（ａ）と平行な第２切れ目線（ｄ）が設けられている。
【００１６】
第２切れ目線（ｄ）の両端から中面板（１５）との境界に向けては、第１側面板（１２）に設けられた切れ目線（ｂ、ｂ）と略重なる第３切れ目線（ｅ、ｅ）が設けられている。
【００１７】
この２本の第３切れ目線（ｅ、ｅ）の末端から中面板（１５）の第２側面板（１４）近傍に向けて、天面板（１１）に設けられた切れ目線（ｂ、ｂ）と略重なる山折り線（ｆ、ｆ）が設けられている。
【００１８】
この２本の山折り線（ｆ、ｆ）の末端同士は折り曲げ線（ａ）と平行で天面板（１１）に設けられた谷折り線（ｃ）に略重なる第２谷折り線（ｇ）により連結されている。
【００１９】
この二本の山折り線（ｆ、ｆ）の外方には、折り曲げ片（１９、１９）を区画する切断線（ｈ、ｈ）が設けられている。
【００２０】
なお、第１側面板（１２）から天面板（１１）に跨がって取り出し蓋（１８）を区画する切れ目線（ｂ、ｂ）は、指掛け孔（１７）の両端から末広がり状に形成されることが好ましい。
【００２１】
このことにより、天面板（１１）の内面に貼着されている中面板（１５）の両端に形成された折り曲げ片（１９、１９）が拡がろうとする力と天面板（１１）の切れ目線（ｂ、ｂ）によって形成された紙端面が擦れ合うのでほどよく音が出る。
【００２２】
このように第１側面板（１２）と天面板（１１）の内側に、第１側面板（１２）と天面板（１１）に重なるように第３側面板（１６）と中面板（１５）が中央部分のみを貼着させて重ねられており、かつ、指掛け孔（１７）の両端から末広がり状に形成される取り出し蓋（１８）を区画する２本の切れ目線（ｂ、ｂ）と重なるように、第２切れ目線（ｄ）とその両端から第３切れ目線（ｅ、ｅ）とそれに連続する山折り線（ｆ、ｆ）が形成されているので、取り出し蓋（１８）を第１側面板（１２）および天面板（１１）から分離させると、その内面に第３側面板（１６）の一部と中面板（１５）の中央部分が一緒に取られて内容物取り出し口（２０）が露出する。
【００２３】
また、切れ目線（ｂ、ｂ）、第２切れ目線（ｄ、ｄ）および第３切れ目線（ｅ、ｅ）としては、ミシン目、半切れ状の断続線、つなぎ付き引き裂き線等が使用可能であるが、つなぎ付き引き裂き線は比較的容易に紙を引き裂くことができ好ましい。
【００２４】
紙箱の開封と閉鎖はつぎのように行う。
すなわち、指掛け孔（１７）に指等を掛けて外方に引っ張ると、第１側面板（１２）の取り出し蓋（１８）部分とその内面に貼着されている第３側面板（１６）の第２切れ目線（ｄ）より上の部分が、切れ目線（ｂ、ｂ）、第２切れ目線（ｄ）、第３切れ目線（ｅ、ｅ）に沿って破れる。
【００２５】
引き続き、破れた取り出し蓋（１８）の先端部分を持って上方に引き上げると、取り出し蓋（１８）は、その内側に貼着されている中面板（１５）の中央部分と一緒に切れ目線（ｂ、ｂ）から破り取られて、天面板（１１）から剥がれ、内容物取り出し口（２０）が露出し、開封作業が完了する。
【００２６】
その際、中面板（１５）の中央部分の外方に山折り線（ｆ、ｆ）を介して連設される折り曲げ片（１９、１９）の端縁が、天面板（１１）の切れ目線（ｂ、ｂ）により形成された紙端面に触れてガッガッという音が発生する。
【００２７】
また、取り出し蓋（１８）を大きく開けた場合には、折り曲げ片（１９、１９）の端縁が天面板（１１）に引っ掛かり、内容物取り出し口（２０）を開口させた状態で停止しておくことができる。
【００２８】
折り曲げ片（１９、１９）の端縁を天面板（１１）から外して、再び取り出し蓋（１８）を閉めることにより、内容物取り出し口（２０）は閉鎖される。開封時と同様に折り曲げ片（１９、１９）の端縁が、天面板（１１）の切れ目線（ｂ、ｂ）により形成された紙端面に触れてガッガッという音が発生する。
【００２９】
取り出し蓋（１８）の先端を第３側面板（１６）の内側に差し込むことにより接着剤やテープ、ラベル等を使わずに紙箱を再封止することができる。
【図面の簡単な説明】
【００３０】
【図１】本発明のトップオープン式紙箱に使用するブランクシートの一実施例を示す、平面説明図である。
【図２】本発明の同実施例を組み立てた状態を示す、斜視説明図である。
【図３】本発明の同実施例を組み立て、蓋を開封した状態を示す、斜視説明図である。
【符号の説明】
【００３１】
１‥‥トップオープン式紙箱
１０‥‥ブランクシート
１１‥‥天面板
１２‥‥第１側面板
１３‥‥底面板
１４‥‥第２側面板
１５‥‥中面板
１６‥‥第３側面板
１７‥‥指掛け孔
１８‥‥取り出し蓋
１９‥‥折り曲げ片
２０‥‥内容物取り出し口
１１１‥‥妻板
１１２‥‥妻板
１２１‥‥舌片
１２２‥‥舌片
１３１‥‥妻板
１３２‥‥妻板
１４１‥‥舌片
１４２‥‥舌片
ａ‥‥折り曲げ線
ｂ‥‥切れ目線
ｃ‥‥谷折り線
ｄ‥‥第２切れ目線
ｅ‥‥第３切れ目線
ｆ‥‥山折り線
ｇ‥‥第２谷折り線  
ｈ‥‥切断線
【図１】
2006213364.tif 000003
【図２】
2006213364.tif 000004
【図３】
2006213364.tif 000005